(57)【要約】【課題】本発明は簡単な構造で、接続不良にも繋がることがなく、かつ、コストアップにも繋がらないコンタクト１０を提供する。【解決手段】本目的は相手物と接触する接触部１２と絶縁体２に保持される固定部１４とケーブルや基板に接続される接続部１６とを具えるとともに一体成型に使用される筒状のコンタクト１０において、前記接触部１２と前記接続部１４との間で下面側に、折り曲げられた防止壁２０を設けるとともに上面側に前記防止壁２０の先端が入る大きさの係止部１８を設けることで達成できる。【選択図】  図２
2007109453.tif 000002
【特許請求の範囲】
【請求項１】
相手物と接触する接触部と絶縁体に保持される固定部とケーブルや基板に接続される接続部とを具えるとともに一体成型に使用される筒状のコンタクトにおいて、
前記接触部と前記接続部との間で下面側に、折り曲げられた防止壁を設けるとともに上面側に前記防止壁の先端が入る大きさの係止部を設けることを特徴とする筒状のコンタクト。
【請求項２】
筒状の前記コンタクトが前記絶縁体に一体成型された際に、前記防止壁により樹脂が前記接触部側に行くことを防止することを特徴とする請求項１記載の筒状のコンタクト。
【請求項３】
筒状の前記コンタクトの防止壁と両側の側壁との隙間を０．０３〜０．０５ｍｍにするとともに前記防止壁と前記係止部との係合する大きさを０．０５〜０．１ｍｍにすることを特徴とする請求項１記載の筒状のコンタクト。
【請求項４】
複数の筒状のコンタクトと該コンタクトが保持・配列される絶縁体とを具えるとともに前記絶縁体が一体成型により形成されるコネクタにおいて、
筒状の前記コンタクトは相手物と接触する接触部と絶縁体に保持される固定部とケーブルや基板に接続される接続部とを有し、筒状の前記コンタクトの前記接触部と前記接続部との間で下面側に、折り曲げられた防止壁を設けるとともに上面側に前記防止壁の先端が入る大きさの係止部を設け、筒状の前記コンタクトが前記絶縁体に一体成型された際に、前記防止壁により樹脂が前記接触部側に行くことを防止することを特徴とするコネクタ。
【請求項５】
筒状の前記コンタクトの防止壁と両側の側壁との隙間を０．０３〜０．０５ｍｍにするとともに前記防止壁と前記係止部との係合する大きさを０．０５〜０．１ｍｍにすることを特徴とする請求項４記載のコネクタ。
【発明の詳細な説明】
【技術分野】
【０００１】
本発明は、コンタクトを絶縁体に保持する方法として一体成型を使用する場合のコンタクトの接触部への樹脂漏れを防止するコンタクト構造に関するものである。
【背景技術】
【０００２】
従来のコンタクト構造について説明する。従来のコンタクトは、略筒状体をしており、主に相手物と接触する接触部と絶縁体に保持される固定部とケーブルや基板に接続される接続部とを具えている。従来、コンタクトを絶縁体に保持する方法としては、一般的に圧入や引っ掛け（ランス構造）や一体成型や溶着などが考えられる。
【特許文献１】実開平６−７３８７４号の要約によると、片側固定で、解放端側が平行に向き合う2枚の接触片４２からなる従来のソケットコンタクトの場合、相手コネクタのピンコンタクト２０が斜めに挿入されて、接触片の裏面に入り込むことがあり、するとソケットコンタクトが変形し、接触不良が発生する。この問題を解決することを目的とし、接触片４２の解放端上方に、内側に湾曲した2枚の板状の舌片４１を設け、このようにすると、ピンコンタクト２０が斜めに挿入されても、舌片４１により接触片４２の内側の方に導かれ、ソケットコンタクト４０が変形したり破損したりすることがなく、また舌片４１と接触片４２との間に隙間４３があいているので、接触片４２の変位量が十分にとれ、安定した性能が得られる構造のソケットコンタクトが開示されている。  ちなみに、実開平６−７３８７４号の実用新案登録請求の範囲によると、請求項１として、ハウジングに固定するための固定部と、相手コネクタのピンコンタクトと接触するために湾曲しバネ性を持ち一端側が固定された2枚の平行な板状接触片とを有するソケットコンタクトにおいて、前記接触片の解放端上方に、前記ピンコンタクトを前記接触片に誘導する内側に湾曲した2枚の板状の舌片を設けたことを特徴とするソケットコンタクトが開示されている。
【発明の開示】
【発明が解決しようとする課題】
【０００３】
特許文献１と挙げたようなソケットコンタクトの構造のような形状が筒状をしている従来構造のものでは、前記絶縁体に前記コンタクトを保持する方法としては、一体成型は不向きであり、かつ、従来構造の前記コンタクトで一体成型を行なうとすると接触部側まで樹脂が入り込んでしまい、接続不良に繋がると言った解決すべき課題があった。
また、成型時に樹脂が接触部まで入り込まないようにするためには、金型構造が複雑で、かつ、精度が要求され、コストアップに繋がってしまう。
【０００４】
本発明は、このような従来の問題点に鑑みてなされたもので、簡単な構造で、接続不良にも繋がることがなく、かつ、コストアップにも繋がらないコンタクトを提供せんとするものである。
【課題を解決するための手段】
【０００５】
上記目的は、相手物と接触する接触部１２と絶縁体２に保持される固定部１４とケーブルや基板に接続される接続部１６とを具えるとともに一体成型に使用される筒状のコンタクト１０において、前記接触部１２と前記接続部１４との間で下面側に、折り曲げられた防止壁２０を設けるとともに上面側に前記防止壁２０の先端が入る大きさの係止部１８を設けることで達成できる。
【０００６】
筒状の前記コンタクト１０が前記絶縁体２に一体成型された際に、前記防止壁２０により樹脂が前記接触部１２側に行くことを防止する。
筒状の前記コンタクト１０の防止壁２０と両側の側壁２４との隙間を０．０３〜０．０５ｍｍにするとともに前記防止壁２０と前記係止部１８との係合する大きさを０．０５〜０．１ｍｍにする。前記防止壁２０と両側の側壁２４との隙間が０．０３ｍｍ以下では前記コンタクト加工時の寸法精度が要求され、コストアップに繋がる恐れがあり、前記防止壁２０と両側の側壁２４との隙間が０．０５ｍｍ以上では樹脂の前記接触部１２側への入り込みを防止できない。前記防止壁２０と前記係止部１８との係合する大きさが０．０５ｍｍ以下では一体成型時の樹脂圧に耐えることができなく、前記防止壁２０と前記係止部１８との係合する大きさが０．１ｍｍ以上では貫通孔になる恐れもあり、貫通孔になると樹脂の入り込みを防止できなく、かつ、コンタクト１０の強度にも問題が生じる。
【０００７】
本発明のコンタクト構造を使用するコネクタ１としては、複数の筒状のコンタクト１０と該コンタクト１０が保持・配列される絶縁体２とを具えるとともに前記絶縁体２が一体成型により形成されるコネクタ１において、筒状の前記コンタクト１０は相手物と接触する接触部１２と絶縁体２に保持される固定部１４とケーブルや基板に接続される接続部１６とを有し、筒状の前記コンタクト１０の前記接触部１２と前記接続部１６との間で下面側に、折り曲げられた防止壁２０を設けるとともに上面側に前記防止壁２０の先端が入る大きさの係止部１８を設け、筒状の前記コンタクト１０が前記絶縁体２に一体成型された際に、前記防止壁２０により樹脂が前記接触部１２側に行くことを防止する。
筒状の前記コンタクト１０の防止壁２０と両側の側壁２４との隙間を０．０３〜０．０５ｍｍにするとともに前記防止壁２０と前記係止部１８との係合する大きさを０．０５〜０．１ｍｍにする。前記防止壁２０と両側の側壁２４との隙間が０．０３ｍｍ以下では前記コンタクト加工時の寸法精度が要求され、コストアップに繋がる恐れがあり、前記防止壁２０と両側の側壁２４との隙間が０．０５ｍｍ以上では樹脂の前記接触部１２側への入り込みを防止できない。前記防止壁２０と前記係止部１８との係合する大きさが０．０５ｍｍ以下では一体成型時の樹脂圧に耐えることができなく、前記防止壁２０と前記係止部１８との係合する大きさが０．１ｍｍ以上では貫通孔になる恐れもあり、貫通孔になると樹脂の入り込みを防止できなく、かつ、コンタクトの強度にも問題が生じる。
【発明の効果】
【０００８】
以上の説明から明らかなように、本発明のコンタクト及び該コンタクトを使用するコネクタによると、次のような優れた効果が得られる。
（１）相手物と接触する接触部１２と絶縁体２に保持される固定部１４とケーブルや基板に接続される接続部１６とを具えるとともに一体成型に使用される筒状のコンタクト１０において、前記接触部１２と前記接続部１６との間で下面側に、折り曲げられた防止壁２０を設けるとともに上面側に前記防止壁２０の先端が入る大きさの係止部１８を設けているので、簡単な構造で、一体成型時に樹脂が接触部１２側へ入り込むことを防止できるため接続不良に繋がることがなく、かつ、コストアップにも繋がらない。
（２）筒状の前記コンタクト１０が前記絶縁体２に一体成型された際に、前記防止壁２０により樹脂が前記接触部１２側に行くことを防止しているので、接続不良に繋がることがなく、かつ、コストアップにも繋がらない。
（３）筒状の前記コンタクト１０の防止壁２０と両側の側壁２４との隙間を０．０３〜０．０５ｍｍにするとともに前記防止壁２０と前記係止部１８との係合する大きさを０．０５〜０．１ｍｍにしているので、簡単な構造で、一体成型時の樹脂圧にも耐えることができ、一体成型時に樹脂が接触部１２側へ入り込むことを防止できるため接続不良に繋がることがなく、かつ、コストアップにも繋がらない。
（４）複数の筒状のコンタクト１０と該コンタクト１０が保持・配列される絶縁体２とを具えるとともに前記絶縁体２が一体成型により形成されるコネクタ１において、筒状の前記コンタクト１０は相手物と接触する接触部１２と絶縁体２に保持される固定部１４とケーブルや基板に接続される接続部１６とを有し、筒状の前記コンタクト１０の前記接触部１２と前記接続部１６との間で下面側に、折り曲げられた防止壁２０を設けるとともに上面側に前記防止壁２０の先端が入る大きさの係止部１８を設け、筒状の前記コンタクト１０が前記絶縁体２に一体成型された際に、前記防止壁２０により樹脂が前記接触部１２側に行くことを防止しているので、接続不良に繋がることがなく、かつ、コストアップにも繋がらない。
（５）コネクタ１に使用する筒状の前記コンタクト１０の防止壁２０と両側の側壁２４との隙間を０．０３〜０．０５ｍｍにするとともに前記防止壁２０と前記係止部１８との係合する大きさを０．０５〜０．１ｍｍにしているので、簡単な構造で、一体成型時の樹脂圧にも耐えることができ、一体成型時に樹脂が接触部１２側へ入り込むことを防止できるため接続不良に繋がることがなく、かつ、コストアップにも繋がらないし、コンタクトの大きさを大きくなることがないためコネクタの小型化を阻害しない。
【発明を実施するための最良の形態】
【０００９】
図１から図４に基づいて、本発明のコンタクトの実施例と前記コンタクトを用いたコネクタの実施例について説明する。図１（Ａ）は接触部分がオスタイプの本発明のコンタクトの斜視図であり、（Ｂ）は接触部分がメスタイプの本発明のコンタクトの斜視図である。図２（Ａ）は接触部分がオスタイプの本発明のコンタクトの断面図であり、（Ｂ）は接触部分がメスタイプの本発明のコンタクトの断面図である。図３（Ａ）は接触部分がオスタイプの本発明のコンタクトの図２（Ａ）のＭ部拡大断面図であり、（Ｂ）は接触部分がメスタイプの本発明のコンタクトの図２（Ｂ）のＮ部拡大断面図である。図４は接触部分がメスタイプの本発明のコンタクトを使用したコネクタの断面図である。
【００１０】
図に基づいて本発明のコンタクトの構造について説明する。
次に、前記コンタクト１０について説明する。前記コンタクト１０には、雄型コンタクト１０１と雌型コンタクト１０２とがある。これらの相違点について説明すると、図１にように相手物と接触する接触部１２の形状が違うだけでる。図１（Ａ）のように接触部１２がピン形状をしたものが雄型コンタクト１０１であり、図２（Ｂ）のように接触部１２が２つの接触片により対向するようにソケット形状をしたものが雌型コンタクト１０２である。２種類の前記コンタクト１０はともに略筒状をしている。この２種類のコンタクト１０１、１０２同士は嵌合し合うものであり、その他部分は同様であるため後の説明では雄型コンタクト１０１を例にとって説明する。
【００１１】
２種類の前記コンタクト１０は金属製であり、公知技術のプレス加工によって製作されている。２種類の前記コンタクト１０の材質としては、寸法安定性や導電性などが要求されるので、黄銅やベリリウム銅やリン青銅等を挙げることができる。２種類の前記コンタクト１０の主な構成部分としては相手物と接触する接触部１２と前記絶縁体２に固定される固定部１４と基板やケーブル等に接続される接続部１６と係止部１８と防止壁２０とを具えている。
【００１２】
前記接触部１２は上述したとおりであり雄型と雌型とがある。前記接触部１２は雄型コンタクト１０１と雌型コンタクト１０２とが嵌合でき、安定した接触が得られるように適宜設計する。前記固定部１４は前記絶縁体１６に固定される部分であり、本発明では一体成型によって固定されている。前記固定部１４には、一体成型した際の保持力を考えて、本実施例のように矢じりを設ける場合もある。前記接続部１６は客先仕様や接続する物や接続方法等を考慮して適宜設計する。本実施例では、ケーブル（図示せず）と接続するようになっており、略Ｕ字形状をした接続部１６にケーブルを置き、その後に治具等でカシメる（所謂、圧着）ことに接続している。
【００１３】
本発明のコンタクト１０では、前記接触部１２と前記接続部１４との間で下面側に、折り曲げられた防止壁２０が設けられている。該防止壁２０によって、一体成型時に樹脂が前記接触部１２側に入り込まないようにしている。また、前記防止壁２０が一体成型時の樹脂圧に耐えられるように、上面側には前記防止壁２０の先端が入る大きさの係止部１８が設けられている。前記防止壁２０と前記係止部１８の形状や大きさは、上記役割を満足するように適宜設計されている。前記係止部１８の形状は、本実施例では凹部形状にした。前記防止壁２０と前記係止部１８の位置は、上記役割や金型の押え位置等を考慮して適宜設計する。押え位置とは、金型で前記コンタクト１０を押える部分であり、即ち、絶縁体２に固定される部分である。
【００１４】
筒状の前記コンタクト１０の防止壁２０と両側の側壁２４との隙間を０．０３〜０．０５ｍｍにするとともに前記防止壁２０と前記係止部１８との係合する大きさを０．０５〜０．１ｍｍにする。前記防止壁２０と両側の側壁２４との隙間が０．０３ｍｍ以下では前記コンタクト加工時の寸法精度が要求され、コストアップに繋がる恐れがあり、前記防止壁２０と両側の側壁２４との隙間が０．０５ｍｍ以上では樹脂の前記接触部１２側への入り込みを防止できない。前記防止壁２０と前記係止部１８との係合する大きさが０．０５ｍｍ以下では一体成型時の樹脂圧に耐えることができなく、前記防止壁２０と前記係止部１８との係合する大きさが０．１ｍｍ以上では貫通孔になる恐れもあり、貫通孔になると樹脂の入り込みを防止できなく、かつ、コンタクトの強度にも問題が生じる。
即ち、前記防止壁２０と両側の側壁２４との隙間は一体成型時に前記接触部１２側に樹脂が入り込まないようにする重要な部分であり、前記防止壁２０と前記係止部１８との係合する大きさは一体成型時の樹脂圧に耐えうることができ、かつ、一体成型時に前記接触部１２側に樹脂が入り込まないようにする重要な部分である。前記防止壁２０と両側の側壁２４との隙間は理想的には０．０３〜０．０５ｍｍ程度であり、前記防止壁２０と前記係止部１８との係合する大きさは理想的には０．０５〜０．１ｍｍ程度である。
【００１５】
次に、前記コンタクト１０を使用したコネクタ１について説明する。前記コネクタ１は本発明のコンタクト１０と絶縁体２とを具えている。前記コンタクト１０は上述したとおりであり、ここでは説明を省略する。
前記絶縁体２について説明する。この絶縁体２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記絶縁体２は前記コンタクト１０を金型にセットした後に成型する一体成型によって製作される。
【産業上の利用可能性】
【００１６】
本発明の活用例としては、電気機器や電子機器や産業用機器や信機器等に使用されるコネクタに活用され、特に一体成型を使用する場合のコンタクトの接触部への樹脂漏れを防止するコンタクト構造に関するものである。
【図面の簡単な説明】
【００１７】
【図１】（Ａ）  接触部分がオスタイプの本発明のコンタクトの斜視図である。（Ｂ）  接触部分がメスタイプの本発明のコンタクトの斜視図である。
【図２】（Ａ）  接触部分がオスタイプの本発明のコンタクトの断面図である。（Ｂ）  接触部分がメスタイプの本発明のコンタクトの断面図である。
【図３】（Ａ）  接触部分がオスタイプの本発明のコンタクトの図２（Ａ）のＭ部拡大断面図である。（Ｂ）  接触部分がメスタイプの本発明のコンタクトの図２（Ｂ）のＮ部拡大断面図である。
【図４】接触部分がメスタイプの本発明のコンタクトを使用したコネクタの断面図である
【符号の説明】
【００１８】
１          コネクタ
２          絶縁体
１０        コンタクト
１０１      雄型コンタクト
１０２      雌型コンタクト
１２        接触部
１４        固定部
１６        接続部
１８        係止部
２０        防止壁
２２        孔
２４        側壁
【図１】
2007109453.tif 000003
【図２】
2007109453.tif 000004
【図３】
2007109453.tif 000005
【図４】
2007109453.tif 000006